(57)【要約】【課題】遠赤外線の全身照射によって使用者の健康を増進させ、使用者を心地よく暖め且つマイナスイオン発生の家庭用サウナまたは暖房器具としても機能する発汗促進装置を提供する。【解決手段】１本または２本以上の半円筒体を入れ子式に配置して使用し、内部に使用者を収納した半円筒体の内周面から遠赤外線を放射させて発汗を促進する装置であって、半円筒体は、外周側に配置する比較的厚い断熱層と、所定間隔をおいて平行に並べた帯状のヒータからなる発熱層と、内周側に配置する金属の均熱保護層とを備え、これらを積層して全体を半円筒形状に一体化させる。【選択図】図１
0003126982.tif 000002
【実用新案登録請求の範囲】
【請求項１】
１本または２本以上の半円筒体を入れ子式に配置して使用し、内部に使用者を収納した半円筒体の内周面から遠赤外線を放射させて発汗を促進する装置であって、半円筒体は、外周側に配置する比較的厚い断熱層と、所定間隔をおいて平行に並べた帯状のヒータからなる発熱層と、内周側に配置する金属の均熱保護層とを備え、これらを積層して全体を半円筒形状に一体化させることにより、コントローラを介して半円筒体の発熱温度を調節して内部加熱と安全性を達成する発汗促進装置。
【請求項２】
均熱保護層の裏面全体に、黒色の備長炭含有シートを貼り付けて遠赤外線発生層を形成する請求項１記載の発汗促進装置。
【請求項３】
断熱層の表面全体に、さらにプラスチック、金属または木製の外面層を形成する請求項１記載の発汗促進装置。
【請求項４】
半円筒体について、前後の半円形端面および左右の直線状側縁を矩形断面の枠材で補強している請求項１記載の発汗促進装置。
【請求項５】
半円筒体の内部に入った使用者の下側に敷設する床シート材は、柔軟なウレタンシートからなり、該シート材の表面に遠赤外線および／またはマイナスイオンを発生する樹脂層を印刷している請求項１，２，３または４記載の発汗促進装置。
【請求項６】
２本の半円筒体を入れ子式に配置して使用し、内部に使用者を収納した半円筒体の内周面から遠赤外線を放射させて発汗を促進する装置であって、半円筒体は、最外周のプラスチック外面層と、該外面層より下側に配置する比較的厚い断熱層と、所定間隔をおいて平行に並べた帯状のヒータからなる発熱層と、内周側に配置するアルミニウム均熱保護層と、均熱保護層の裏面全体に設けた黒色の備長炭含有の遠赤外線発生層とを備え、これらを積層して全体を半円筒形状に一体化させることにより、コントローラを介して半円筒体の発熱温度を調節して内部加熱と安全性を達成する発汗促進装置。
【考案の詳細な説明】
【技術分野】
【０００１】
本考案は、遠赤外線の全身照射によって使用者の健康を増進させる発汗促進装置に関し、使用者を心地よく暖め且つマイナスイオン発生の家庭用サウナまたは暖房器具としても機能する発汗促進装置に関する。
【背景技術】
【０００２】
近年、快適な生活を送るうえで健康管理が重要視され、これとともに家庭用サウナおよびサウナ類似の暖房器具が数多く提案されている。家庭用サウナには、一般に、特開２００４−１９４９２３号のようなルーム式やベッド式のサウナが多く、その装置が大がかりで設置場所も大きく、コストが非常に高くなって一般家庭で簡単に購入して設置するわけにいかない。
【０００３】
また、特開２００１−２７６１６８号や特開２００３−２４５３２６号は、半円筒形の袋体を敷きマットの上に設置するだけであるから比較的設置場所が小さくて安価である。特開２００１−２７６１６８号について、スチームやミストを常に袋体の内部へ送り込むため、比較的高温に設定すると、多量のスチームを送り込まれ、そのスチームが袋体から漏出して室内を湿らせることがある。特開２００３−２４５３２６号では、敷きマット内に電熱装置を組み込んでいるため、使用者の背中が発熱層を近接して背中だけが加熱されやすく、全身を均等に加熱する点では不十分である。
【特許文献１】特開２０００−１４０１３５号公報
【特許文献２】特開２００１−２７６１６８号公報
【特許文献３】特開２００３−２４５３２６号公報
【特許文献４】特開２００４−１９４９２３号公報
【考案の開示】
【考案が解決しようとする課題】
【０００４】
一方、特開２０００−１４０１３５号は、入れ子式の２本の半円筒体を有する遠赤外線健康器であり、両半円筒体の内周面にカーボンブラックを含む面状発熱体を貼着している。この健康器では、硬い半円筒体の内部に使用者が入り込む方式であるので、発熱層に対して使用者の身体が所定の距離を有し、身体全体をほぼ均等にほどよく加熱することが可能である。この反面、半円筒体の内周面全体がカーボンブラックを含む通電の面状発熱層であるので、該発熱層を損傷した際に漏電事故を起こしやすく、内周面全体が面状発熱層であるとコスト高にもなる。また、カーボンブラックを含む面状発熱層は、遠赤外線を発生するといっても、皮膚機能を活性化して新陳代謝を活発にするには、遠赤外線の発生が量的に不足している場合がある。
【０００５】
本考案は、従来の家庭用サウナや遠赤外線健康器具に関する前記の問題点を改善するために提案されたものであり、遠赤外線を十分に放射できるうえに、使用時に発熱層が損傷されることが少ない発汗促進装置を提供することを目的としている。本考案の他の目的は、比較的製造コストが安く、強度的に優れた半円筒体を用いる発汗促進装置を提供することである。本考案の別の目的は、使用者を心地よく暖めしかもマイナスイオンも発生する発汗促進装置を提供することである。
【課題を解決するための手段】
【０００６】
本考案に係る発汗促進装置は、１本または２本以上の半円筒体を入れ子式に配置して使用し、内部に使用者を収納した半円筒体の内周面から遠赤外線を放射させて発汗を促進する。この発汗促進装置において、この半円筒体は、外周側に配置する比較的厚い断熱層と、所定間隔をおいて平行に並べた帯状のヒータからなる発熱層と、内周側に配置する金属製の均熱保護層とを備え、これらを積層して全体を半円筒形状に一体化することにより、コントローラを介して半円筒体の発熱温度を調節して内部断熱と安全性を達成する。
【０００７】
本考案の発汗促進装置において、均熱保護層の裏面全体に、黒色の備長炭含有シートを貼り付けて遠赤外線発生層を形成すると好ましい。また、断熱層の表面全体に、さらにプラスチック、金属または木製の外面層を形成すると好ましい。
【０００８】
好ましくは、本考案の発汗促進装置は、半円筒体について、前後の半円形端面および左右の直線状側縁を矩形断面の枠材で補強する。また、半円筒体の内部に入った使用者の下側に敷設する床シート材は、柔軟なウレタンシートからなり、該シート材の表面に遠赤外線および／またはマイナスイオンを発生する樹脂層を印刷する。
【０００９】
本考案に係る発汗促進装置は、２本の半円筒体を入れ子式に配置して使用し、内部に使用者を収納した半円筒体の内周面から遠赤外線を放射させて発汗を促進することが特に望ましい。この半円筒体は、最外周のプラスチック外面層と、該外面層より下側に配置する比較的厚い断熱層と、所定間隔をおいて平行に並べた帯状のヒータからなる発熱層と、内周側に配置するアルミニウム均熱保護層と、均熱保護層の裏面全体に設けた黒色の備長炭含有の遠赤外線発生層とを備え、これらを積層して全体を半円筒形状に一体化させる。
【００１０】
本考案を図面によって説明すると、図１に本考案に係る発汗促進装置１を例示し、該装置は１本または２本以上の半円筒体２，３で構成する。この半円筒体は、２本以上であれば入れ子式に配置し、１本だけであると保管場所が大掛かりになるが、敷設場所に余裕があれば長さ１８００ｍｍ前後の１本だけを使用してもよい。２本以上の半円筒体２，３は、半径がそれぞれ異なっていても、それぞれがほぼ同様の多層構成である。３本以上の半円筒体であれば、完全に引き伸ばした状態で各半円筒体をストッパで係止できるように構成すると好ましい。
【００１１】
半円筒体２，３は、実際には、完全な半円筒形よりも半円形の幅よりも高さが多少大きい湾曲形である。半円筒体２，３は、図４および図５に例示するような多層構造であり、少なくとも３層構造からなる。この３層構造は、外周側に配置する比較的厚い断熱層５と、所定間隔をおいて平行に並べた帯状のフィルムヒータ８（図６）のような発熱層６と、内周側に配置する金属製の均熱保護層７とであり、望ましくは断熱層５より上方側の外面層１６および最内層の遠赤外線発生層１８を積層する。
【００１２】
断熱層５は、他の層に比べて厚く、独立気泡のプラスチック発泡体、ロックウール板、炭化コルク板、コルク板、繊維フェルト材、ガラス繊維板、ガラスウール板などが例示できる。プラスチック発泡体は、比較的軽量で断熱効果が高いので好ましく、硬質ポリウレタン、ポリスチレン、ポリプロピレン、フェノール樹脂、酢酸繊維素プラスチック、硬質塩化ビニル樹脂などが使用できる。
【００１３】
中間の発熱層６は、所定間隔をおいて平行に並べた帯状のヒータで構成すればよい。発熱層６は、平行に並置して前後をまとめた帯状のフィルムヒータ８（図６）でも、蛇行配列させた平たい発熱コード（図示しない）でもよい。フィルムヒータ８は、一般にカーボンブラックを含有し、例えば、２層の耐熱性プラスチックフィルムの間にカーボンブラック微粉末を挟んだ３層構造である。帯状のフィルムヒータ８を配列する場合には、該ヒータの横幅と各ヒータ間の間隙とをほぼ等しい距離に設定すればよい。フィルムヒータ８は、微粉末のカーボンブラックを含有することにより、通電することによって抵抗加熱によって発熱し、遠赤外線を多量に放出する。
【００１４】
一方、発熱層６として、温度管理可能な平たくて細い発熱コードを蛇行配列することも可能である。この発熱コードの配列態様は、該発熱コードが断熱層５の全面に平均的に延設できればどのような蛇行形状でもよく、該発熱コードを断熱層５に接着または縫着すればよい。この発熱コードについて、局部的な温度管理が重要な場合には、使用者の脚部付近が比較的高温になるように密に蛇行させ、且つ胸部付近が比較的低温になるように粗に蛇行させればよい。この発熱コードは、細い金属線である発熱線を樹脂シースで被覆した単純な線構成でよく、温度管理に別の線状センサーを利用することも可能である。
【００１５】
また、この発熱コードとして、合成または天然繊維の心糸に、直径０．１ｍｍ程度の銅ニッケル合金線のような発熱線を複数本そろえてスパイラル状に巻き付けてもよく、その両端部を商用電源に接続すれば発熱する。この心線の材質は、ポリエステル樹脂、ナイロン、木綿などである。温度管理可能な発熱コードの例として、合成または天然繊維の心糸に、銅ニッケル合金線のような発熱線を巻き付け、ついで熱可塑性樹脂製の内方シースで被覆する。この内方シースの周面には、金属抵抗線などの検知線を巻き付け、ついでシリコン樹脂やポリ塩化ビニル樹脂などの表面シースで被覆し、該表面シースは、発熱コードの最外層に位置し、検知線を保持する機能を有する。一方、内方シースは、発熱線の異常発熱時に溶融し、溶断によってヒューズの機能の働きをし、検知線である金属抵抗線の抵抗値変化を利用して、発熱コードの一部または全体を温度コントロールもできる。
【００１６】
好適な発熱コードの別の例として、心糸に直径０．１ｍｍ程度の銅ニッケル合金線のような発熱線を複数本そろえてスパイラル状に巻き付けた発熱コードがある。この発熱線の巻装後に、ポリ塩化ビニル樹脂などを主成分とする内方シースで被覆する。この内方シースは、イオン性の添加剤を加えることにより、温度上昇でインピーダンスが低下する負の温度−インピーダンス特性を有する。内方シースの周面には、矩形断面の鉄線などの検知線をさらにポリエステル樹脂などの短冊状の絶縁テープをスパイラル状に巻き付け、絶縁テープを巻き付けてから表面シースで被覆する。絶縁テープは、熱可塑性プラスチックや紙などの絶縁材料からなる。この発熱コードにおいて、絶縁テープは、内方シースと検知線の上に少しずつ位置をずらしながら多重に巻き付ける。絶縁テープの多重巻き付けにより、厚みが均一な電気絶縁層を比較的容易に形成できる。また、絶縁テープは、内方シースの温度−インピーダンス特性を安定させる機能を有する。この発熱コードにおいて、発熱線と検知線を短絡しておくと、発熱温度に応じて、発熱線から内方シースを介して、特性電流が検知線に流れ込む。この特性電流が検知線に流れると、検知線の両端間に特性電圧が発生するから、この特性電圧を電子回路で検出する。電子回路が発熱温度が所定の温度に到達したことを検知すると、発熱線への通電を停止するように構成することにより、発熱コードを所定の発熱温度に制御できる。また、検知線を商業用電力の通電によって発熱するように構成すれば、発熱線へ流れ込む特性電流を検知する。
【００１７】
均熱保護層７は、発熱層６の全面を覆う金属板からなり、比較的薄くても発熱層６を保護しうる強度を有することを要する。均熱保護層７は、熱伝導性の良好なアルミニウム板または銅板であると好ましい。
【００１８】
補強と装飾を兼ねた外面層１６は、図４および図５において、断熱層５の表面全体に形成し、その素材はプラスチック、金属または木材のいずれでもよい。外面層１６の厚みは、断熱層５よりも多少薄く、一般に厚さが２〜５ｍｍである。外面層１６は、適宜に着色すればよく、さらに商標や図形さらに使用説明などを表面に印刷してもよい。
【００１９】
一方、遠赤外線発生層１８は、均熱保護層７の裏面全体に形成し、例えば、層１８として黒色の備長炭含有シートを貼り付ける。遠赤外線発生層１８は、微粉末の備長炭を含有した樹脂シートであり、備長炭を多量に含有することにより、適温加熱されると遠赤外線さらにマイナスイオンを多量に放出する。
【００２０】
半円筒体２，３は、単なる多層構造であると剥がれたり変形しやすいので、縁を枠材で補強すると好ましく、この枠材は木材、金属またはプラスチック製である。例えば、半円環形の枠材で前後の半円形端面１９，２０をおよび直線状の枠材で左右の直線状側縁２４，２４を縁取りし、さらにリブ状に補強してもよい。木枠２２，２６のような枠材は、矩形、面取り矩形、円形などの断面形状を有し、縁取りであれば、内側の矩形溝２８内に半円筒体２，３の端部を嵌め込んで接着剤などで固着すればよい。
【００２１】
図７に示すコントローラ３８は、それ自体は公知であり、簡易操作のために押しボタン式のトグルスイッチで操作でき、電源スイッチ４０に加えて、各半円筒体について温度設定と時間設定が可能であり、夏・冬のモード設定なども可能である。コントローラ３８において、その一側面から電源コード４６を引き出し、さらに他側面からソケットプラグ付きのコード４８，５０を引き出す。一方のコード４８は半円筒体２の電気コード３４と接続し、他方のコード５０は半円筒体３の電気コード３６と接続すればよい。
【００２２】
床シート材５２は、肌触りの点で発泡性の熱可塑性樹脂またはゴム製が好ましく、特に発泡ポリウレタン製であると望ましい。所望に応じて、床シート材５２にさらに厚みとクッション性を付与するために、マットなどを下方に敷設してもよい。床シート材５２には、薄い断熱層を下側にラミネートしたり、床シート材５２を２層または３層以上の層構造にしてもよい。また、床シート材５２の表面には、感触性を高めるために、例えば、一部に薄い布地を貼り付けたり、植毛加工を施すことも可能である。
【００２３】
床シート材５２は、半円筒体２，３からの遠赤外線やマイナスイオンを良好に反射できるように、例えば、ポリウレタンやアクリル樹脂のラテックスまたはこれと同等の軟質樹脂からなる樹脂バインダ中にアルミニウムや銀などの金属微粉末を適量添加すると好ましい。床シート材５２には、金属微粉末を添加する代わりに、２層の樹脂層の間に金属箔や金属フィルムを挟着したり、シート材の一方の表面にアルミニウムや銀などの金属を蒸着してもよい。床シート材５２には、隠蔽力の大きい白色顔料である酸化チタンを添加し、光触媒による抗菌性を付与してもよい。
【００２４】
表面模様層５４は、各種の印刷法またはロールコータ法などを利用して、床シート材５２の表面に分散形成し、模様として施すために床シート材５２と異なる色に着色する。表面模様層５４は、ポリウレタンなどの樹脂バインダ中に、セラミックス、トルマリン、無機ゲルマニウムまたは雲母石などの微粉末を含有する。
【００２５】
表面模様層５４にセラミックス粉末を添加する場合、該セラミックス粉末が波長４〜２０μｍの遠赤外線を常温域で高度に放射することが必要であり、例えば、アルミナ系、ジルコニウム系、ランタン系などが使用できる。セラミックスの放射特性は、同一の素材でも粒径、粒子形状、表面状態、充填量、充填樹脂、分配構造などによって大幅に変わるため、高度な材料評価技術が不可欠である。例えば、アルミナ−シリカ系セラミックスや酸化物系セラミックスは、樹脂バインダ中に分散しても高い選択放射性を有し、非酸化物系セラミックス粉末は高い全域放射性を有する。
【００２６】
この種のセラミックス粉末は、表面模様層５４を構成する樹脂が所定の機械的強度を備え、且つ耐磨耗性と耐洗濯性を保持させるために、平均粒径が約５μｍ以下であると好ましい。また、平均粒径が１０μｍ程度であっても、ロールミル（図示しない）によって樹脂と練磨・分散する際に、必然的に平均粒径を５μｍ程度まで粉砕する。このセラミックス粉末は、表面模様層５４において２５〜３５重量％添加しており、含量が２５重量％未満であると遠赤外線を量的に多く放射することができない。一方、セラミックス粉末の含量が３５重量％を超えると、樹脂中の充填分が多くなりすぎ、機械的強度が低下して所定の耐磨耗性と耐洗濯性を保持しにくい。
【００２７】
また、表面模様層５４に無機ゲルマニウムを添加する場合、例えば５μｍ以下の微粉末の形態で使用し、この微粉末を樹脂バインダと均一且つ十分に混練する。無機ゲルマニウムの微粉末は、バインダの樹脂液に対して５〜１０重量％添加する。この表面模様層の厚みは１０〜４０μｍであればよい。この樹脂溶液は、無機ゲルマニウムの微粉末を均一に混練できれば、樹脂ラテックス、樹脂エマルジョン、樹脂懸濁液、親水性共重合体、化学反応性の水溶性樹脂などのいずれでもよい。
【００２８】
セラミックス粉末や無機ゲルマニウムを含む表面模様層５４は、ポリウレタン系樹脂またはこれと同等の軟質樹脂からなると好ましく、該樹脂は例えば熱架橋性または経時架橋性である。ポリウレタン系樹脂は、伸び、耐磨耗性、反発弾性および圧縮疲労強さが優れている。表面模様層５４は、図示のような適宜の水玉模様のほかに、文字や記号またはこれらを組み合わせた平面図柄であり、一般に単純な円形や角形平面の図柄を床シート材５２上に均等に形成し、転写ラベルとしてベースシートごと切り取って床シート材５２に接着してもよい。表面模様層５４の厚みが８〜４０μｍ程度であると、所定の遠赤外線および/またはマイナスイオン放射の効果を得る。
【００２９】
発汗促進装置１は、床シート材５２を敷いた上に寝た使用者４について、半円筒体２，３を図１のようにその全身を覆うように配置し、コントローラ３８でやや高温に設定して１５分から１時間加熱する。この結果、半円筒体２，３の内部が温度４０〜５０℃に発熱するとともに、床シート材５２の表面模様層５４から遠赤外線とマイナスイオンが放射するから、使用者４の全身から発汗させて身体を芯から暖め、健康な人であれば４０分程度の間に大量の発汗を促す。この汗には、普通の汗以外に、皮脂腺やエクリン腺からの排泄物が含まれ、特に重金属などの有害老廃物を体外に効率良く排泄するサウナ効果がある。
【００３０】
発汗促進装置１は、コントローラ３８で３０〜４０℃に発熱させると、通常の暖房器具としても使用できる。半円筒体２，３を暖房器具として用いる際には、要介護者を床シート材５２の間に寝かせ、３０℃前後に発熱させて心地よくなるように暖める。床シート材５２は、表面が軟質の樹脂であるので汗を拭き取りやすく、あらかじめシーツなどを敷いておいてもよい。
【考案の効果】
【００３１】
本考案に係る発汗促進装置は、半円筒体の内周面において帯状のヒータである発熱層を取り付け、１本または２本以上の半円筒体を入れ子式に配置して使用する。使用者は、硬い半円筒体の内部に入り込むことにより、半円筒体内面の発熱層に対して身体が常に所定の距離を保ち、使用者の身体全体をほぼ均等に加熱することができる。本考案の発汗促進装置は、４０〜４８℃に加熱されて遠赤外線を効率良く発生し、使用者の全身から発汗させて身体を芯から暖め、健康な人であれば４０分程度の間に大量の発汗を促すとともに、遠赤外線が使用者の身体内部に浸透して皮脂腺を刺激して皮脂の排泄を促進する。
【００３２】
本考案の発汗促進装置は、平行に並べた帯状のヒータの全面を金属製の均熱保護層で被覆することにより、フィルムヒータが帯状のように少なくなってコストダウンできるうえに、均熱保護層の通過によって半円筒体の裏周面全体をほぼ均一に加熱できる。しかも、均熱保護層で被覆することにより、半円筒体の裏面が水で濡れても漏電が起きず、テーブルの角などにぶつけても帯状のヒータが損傷されることがなく、電気関連事故を起こしにくいので安全に使用できる。
【００３３】
本考案の発汗促進装置では、両半円筒体の内周面に面状発熱層を有し且つその内周面に備長炭含有シートを貼り付けて遠赤外線発生層を形成することにより、遠赤外線とともにマイナスイオンも発生するから、使用者の健康促進にとって有益であり、消臭効果も存在する。本考案の発汗促進装置は、コントローラで温度を３０〜４０℃に設定すると、通常の暖房器具として使用者を心地よく暖めることも可能である。本考案の発汗促進装置は、半円筒体が２本であれば重合可能であるから保管・収納も容易である。
【考案を実施するための最良の形態】
【００３４】
次に、本考案を実施例に基づいて説明するが、本考案は実施例に限定されるものではない。発汗促進装置１は、図１から図３に示すように、入れ子式に配置した２本の半円筒体２，３からなり、前方の半円筒体２の内寸が後方の半円筒体３の外寸にほぼ等しく、使用者４の身長に応じて半円筒体２または３を前後に摺動させて長さを変更できる。例えば、前方の大径の半円筒体２は、幅６９５ｍｍ、高さ４４０ｍｍ、後方の小径の半円筒体３は、幅６１５ｍｍ、高さ４１０ｍｍであるから、横断面は完全な半円形ではなく、半円形の幅よりも高さが大きい湾曲形または半楕円形である。また、半円筒体２，３は、いずれも長さ９００ｍｍである。
【００３５】
半円筒体２，３は、いずれも図４および図５に例示するような多層構造を有し、外周側に配置する比較的厚い断熱層５と、所定間隔をおいて平行に並べた帯状のフィルムヒータ８からなる発熱層６と、内周側に配置する金属製の均熱保護層７とを備える。断熱層５は、厚さ９ｍｍのポリプロピレン発泡体からなる。一方、均熱保護層７は、厚さ０.６ｍｍのアルミニウム板または銅板である。
【００３６】
中間の発熱層６は、図６に示すように、カーボンブラックを含有する帯状のフィルムヒータ８を所定間隔をおいて平行に並べて構成する。ヒータ群１０，１２は、前後に２分割させて並置し、各群の前後を半円環状の銅箔体１４で電気的に接続している。例えば、帯状のフィルムヒータ８は横幅が３０ｍｍであり、各ヒータ間の間隙は２５ｍｍである。帯状のフィルムヒータ８は、微粉末のカーボンブラックを含有することにより、通電することによって発熱し、遠赤外線を放出する。
【００３７】
図４および図５において、断熱層５の表面全体に、さらにプラスチック外面層１６を積層し、該外面層は適宜に着色し且つ商標や図形を印刷する。例えば、外面層１６は、厚さ３〜５ｍｍのアクリル樹脂からなる。一方、均熱保護層７の裏面全体に、黒色の備長炭含有シートを貼り付けて遠赤外線発生層１８を形成する。遠赤外線発生層１８は、加熱によって遠赤外線さらにマイナスイオンを放出する。
【００３８】
半円筒体２，３について、図１から図３に示すように、前後の半円形端面１９，２０を半円環形の木枠２２でおよび左右の直線状側縁２４，２４を直線状の木枠２６で補強する。木枠２２，２６は、図５に示すような矩形断面を有し、その内側の矩形溝２８内に半円筒体２，３の端部を嵌め込んで接着剤で固着することによって縁取りする。木枠２２，２６は、例えば、厚み３０ｍｍ、幅４０ｍｍである。木枠２２と２６の接続個所は、組み継ぎ、ダボ、木ネジ、接着剤などで固着し、さらにＵ字形断面の補強金具などでずれを防いでもよい。
【００３９】
前方の半円筒体２の前端には、扇形の布製の遮熱カバー３０（図３参照）を取り付ける。カバー３０は、使用者４の首部を柔らかく包み、半円筒体内部の熱が前方から外部へ逃散することを防止する。一方、後方の半円筒体３の後端は、半円形の樹脂板３２で閉止し、半円筒体内部の熱が後方から外部へ逃散することを防止する。
【００４０】
半円筒体２または３において、帯状のフィルムヒータ８の両端部には、電気コード３４，３６を接続する（図示しない）。電気コード３４，３６は、半円筒体２，３の側端面からそれぞれ引き出し、各電気コードの先端にピンプラグを取り付ける。
【００４１】
一方、図７に示すコントローラ３８は、電源スイッチ４０に加えて、各半円筒体について温度設定と時間設定が可能である。コントローラ３８では、設定時間を液晶盤４１，４２で半円筒体２，３ごとに表示し、且つ設定温度を複数個の発光ＬＥＤ４４で表示する。コントローラ３８において、その一側面から電源コード４６を引き出し、さらに他側面からソケットプラグ付きのコード４８，５０を引き出す。一方のコード４８は半円筒体２の電気コード３４と接続し、他方のコード５０は半円筒体３の電気コード３６と接続すればよい（図２参照）。
【００４２】
床シート材５２（図１）には、使用者４が任意のものを選択すればよく、クッション性の付与が必要であればマットなどを下に敷き込めばよい。図８には、好適な床シート材５２を例示し、該シートは、全面にシボを形成した厚さ１ｍｍ程度の発泡ウレタンシートである。床シート材５２には、遠赤外線を反射できるように樹脂中にアルミニウム微粉末を添加し、さらに水玉模様の表面模様層５４を分散印刷する。
【００４３】
表面模様層５４は、床シート材５２の表面にスクリーン印刷法によって分散形成する。例えば、用いる遠赤外線放射性のセラミックス粉末は、例えば、平均粒径１．２μｍのアルミナ−シリカ系セラミックス粉末である。このセラミックス粉末３０重量％と、固形分２０％のポリウレタン系樹脂溶液７０重量％とを混合する。この混合溶液１００ｇに、シリカゲル２ｇおよび有機溶剤５ｇを加えて攪拌し、さらにイソシアネートを５ｇ添加する。表面模様層５４は、１８０メッシュのスクリーン版によって、床シート材５２の上に印刷され、同じスクリーン版で２回刷りして厚さを１１μｍ前後にする。
【００４４】
床シート材５２は、例えば、幅９５０ｍｍ、長さ１９５０ｍｍである面取りした長方形である。床シート材５２の周縁は、縁布５６で包み込んでミシン糸で縫着する。
【００４５】
発汗促進装置１の使用時には、床シート材５２を敷いたマットの上に寝た使用者４に対して、図１のようにその全身を覆うように半円筒体２，３を配置し、例えば、コントローラ３８によって内部温度を４０〜４８℃に設定して１０分から６０分程度加温する。発熱層６のフィルムヒータ８から放散される熱は、断熱層５によって外側への放出を遮断され、内側へ向かうと均熱保護層７を通過するとほぼ均等に分散され、使用者４の全身をほぼ均一に暖めることができる。
【００４６】
一方、発熱層６のフィルムヒータ８から放散される熱について、使用者４に照射されずに床シート材５２を照射すると、その表面で熱反射され、床シート材５２自体はわずかに暖まる程度である。この熱が、床シート材５２の表面において表面模様層５４を照射すると、該表面模様層から遠赤外線とマイナスイオンを放射し、使用者４の全身からの発汗を促進して身体をいっそう暖め、さらに大量の発汗を促す。この汗には、普通の汗以外に、皮脂腺やエクリン腺からの排泄物が含まれ、特に重金属などの有害老廃物を体外に効率良く排泄するサウナ効果がある。
【図面の簡単な説明】
【００４７】
【図１】本考案に係る発汗促進装置の使用状態を示す縦断面図である。
【図２】図１の発汗促進装置の端面図である。
【図３】図１の発汗促進装置の側面図である。
【図４】本考案で用いる半円筒体を示す横断面図である。
【図５】（１）半円環状の木枠および（２）直線状の木枠を取り付けた半円筒体の要部を示す部分拡大断面図である。
【図６】半円筒体を切り欠いて内部の発熱層を示す概略斜視図である。
【図７】本考案で用いるコントローラを例示する正面図である。
【図８】本考案で用いる床シート材を例示する平面図である。
【符号の説明】
【００４８】
１    発汗促進装置
２，３    半円筒体
４    使用者
５    断熱層
６    発熱層
７    均熱保護層
８    フィルムヒータ
１６    外面層
１８    遠赤外線発生層
２２，２６    木枠
３０    遮熱カバー
３８    コントローラ
５２    床シート材
５４    表面模様層
【図１】
0003126982.tif 000003
【図２】
0003126982.tif 000004
【図３】
0003126982.tif 000005
【図４】
0003126982.tif 000006
【図５】
0003126982.tif 000007
【図６】
0003126982.tif 000008
【図７】
0003126982.tif 000009
【図８】
0003126982.tif 000010